(57)【要約】【課題】  本発明は、広告を収録した宅配便送り状に係り、宅配便利用者が送り状の配送記録を確認すると同時に送り状に印刷された広告をも閲覧できるようにすることで、広告効果を極大化した宅配便送り状を提供する。【解決手段】  配送情報が記録されて配送物に貼り付けられる宅配用送り状において、前記宅配用送り状の所定の位置に特定の商品情報やイメージを知らせるための広告を含む。  本発明の宅配用便送り状は、送り状本来の役割と共に、宅配便を利用する消費者に対し広告を強く認識させ得る効果的な広告手段としての役割をも果たす。これにより、広告主にとっては低コストで高効率の広告効果が得られるというメリットがあり、一方、運送会社にとっては広告収録に伴う付随的な収益創出によって収益構造を改善できるという効果がある。その結果、宅配便の料金がダウンし、宅配便利用者の利益にもつながるという効果を有する。【選択図】      図１
2006082542.tif 000002
【特許請求の範囲】
【請求項１】
配送情報が記録されて配送物に貼り付けられる宅配便送り状において、
前記宅配便送り状の所定の位置に、特定の商品情報やイメージを知らせるための広告を更に含むことを特徴とする広告を収録した宅配便送り状。
【請求項２】
前記宅配便送り状は、運送会社用伝票一枚と受取人用伝票一枚とが接着用シールの表面に上下または右左に並列して貼り付けられ、前記伝票は接着用シールから分離可能に構成され、前記接着用シールの表面には広告を更に含むことを特徴とする請求項１に記載の広告を収録した宅配便送り状。
【請求項３】
前記広告は、前記運送会社用伝票を前記接着用シールの表面から分離すれば広告が露出されるように、前記接着用シールの表面上の運送会社用伝票が貼り付けられる位置に収録されることを特徴とする請求項２に記載の広告を収録した宅配便送り状。
【請求項４】
前記宅配便送り状は、差出人用伝票一枚と運送会社用伝票一枚と受取人用伝票一枚とが積層構成され、前記それぞれの伝票を構成する配送情報記載欄は前記伝票の片方の表面に印刷され、前記伝票の他方の表面には広告を更に含むことを特徴とする請求項１に記載の広告を収録した宅配便送り状。
【請求項５】
前記広告は、クーポン形態でなるクーポン広告であることを特徴とする請求項１に記載の広告を収録した宅配便送り状。
【請求項６】
前記宅配便送り状は、運送会社用伝票一枚と受取人用伝票一枚とクーポン広告用紙一枚とが接着用シールの表面に貼り付けられ、前記伝票および前記クーポン広告用紙は接着用シールからそれぞれ分離可能に構成されることを特徴とする請求項５に記載の広告を収録した宅配便送り状。
【請求項７】
前記クーポン広告用紙は、一枚のクーポンまたは複数のクーポンでなることを特徴とする請求項６に記載の広告を収録した宅配便送り状。
【発明の詳細な説明】
【技術分野】
【０００１】
本発明は、広告を収録した宅配便送り状に係り、より詳しくは、宅配便送り状に広告を収録することで、宅配便利用者が宅配便送り状の配送記録を確認する際に広告も自然に露出されるようにし、広告効果を極大化できるように構成した広告を収録した宅配便送り状に関する。
【背景技術】
【０００２】
近距離または遠距離の知り合いや取引先、或いは購買者に品物（貨物）を配送する目的で宅配便を利用する場合、品物の情報や受取人の情報などが記録された送り状が貨物の表面に貼り付けられる。
【０００３】
一般に、宅配便送り状２０は、図５に示すように、差出人用伝票２１一枚と運送会社用伝票２２一枚と受取人用伝票２３一枚とが積層構成され（以下、「一般用宅配便送り状」と呼ぶ）、それぞれの伝票２１、２２、２３は、それぞれの相手方に伝達され、領収書として保管される。
【０００４】
一方、インターネット・ショッピングモールやテレビ・ホームショッピングなどの通販会社のように大量の品物を発送する会社である場合は、運送会社との別途の契約によって品物を一括して配送処理するが、この際に使用される送り状（以下、「企業用宅配便送り状」と呼ぶ）は、一般用宅配便送り状とは異なって差出人用伝票が別に必要とされないので、受取人用伝票一枚と運送会社用伝票一枚とで構成される。
【０００５】
図４に示すように、企業用宅配便送り状１０は、品物に貼り付けられる接着用シール１１と接着用シールの表面１１ａに貼り付けられる受取人用伝票１３と運送会社用伝票１２とを含む。受取人用伝票１３と運送会社用伝票１２とは、接着用シールの表面１１ａから分離可能である。接着用シールの裏面１１ｂには剥離紙１４が貼り付けられる。送り状１０を使用する際は、剥離紙１４を取り除いた後、粘着剤の塗布された接着用シールの裏面１１ｂを品物に貼り付けて使用する。
【０００６】
運送会社の配達人は品物を届け先まで配達し、受取人から運送会社用伝票１２に受取りの確認を受けた後、運送会社用伝票１２を接着用シール１１から剥がして保管する。受取人は受取人用伝票１３が貼り付けられている品物を運送会社の配達人から受取る。
【０００７】
以上のように構成された従来の送り状１０、２０は、単に品物の配送に必要な配送情報のみが記録された構成となっている。
【発明の開示】
【発明が解決しようとする課題】
【０００８】
一般に、品物を宅配便を利用して配送する際に、差出人、受取人、および運送会社は、送り状を厳密に検討する。すなわち、差出人は送り状の情報が正しいか否かを検討し、運送会社は届け先を探すために送り状を確認し、受取人は届けられた品物が誰から送られてきたものであるかを確認するために、送り状を厳密に検討する。
【０００９】
一方、企業用宅配便送り状は、差出人、つまり通販会社などが受取人に関する情報を一括して管理するので、製品の購買可能性の高い特定の消費者層を狙って集中的な広告を繰り広げる「ターゲット・マーケティング」の好適な広告手段として利用可能である。
【００１０】
このように、本発明は、宅配便の送り状に広告の機能を追加し、送り状の内容を確認する差出人や、運送会社、受取人などが送り状に印刷された広告も同時に閲覧できるようにし、広告効果を極大化した宅配便送り状を提供することを目的としている。
【課題を解決するための手段】
【００１１】
上記目的を達成するために、本発明の広告を収録した宅配便送り状は、配送情報が記録され配送物に貼り付けられる宅配便送り状において、前記送り状の所定の位置に、特定の商品情報やイメージなどを知らせるための広告を更に含むことを技術的特徴としている。
【００１２】
また、本発明の好ましい一実施例による前記送り状は、運送会社用伝票一枚と受取人用伝票一枚とが接着用シールの表面の上下または右左に並列して貼り付けられ、前記伝票は接着用シールから分離可能に構成され、前記接着用シールの表面、より好ましくは、前記運送会社用伝票が貼り付けられる位置に広告を更に含むことを特徴とする。
【００１３】
また、本発明の他の好ましい実施例による前記送り状は、差出人用伝票一枚と運送会社用伝票一枚と受取人用伝票一枚とが積層構成され、前記それぞれの伝票を構成する配送情報記載欄は前記伝票の片方の表面に印刷され、前記伝票の他方の表面には広告を含むことを特徴とする。
【００１４】
また、本発明の更に他の好ましい実施例による前記送り状は、運送会社用伝票一枚と受取人用伝票一枚とクーポン広告用紙一枚とが接着用シールの表面に貼り付けられ、前記各伝票およびクーポン広告用紙は、前記接着用シールからそれぞれ分離可能に構成されることを特徴とする。ここで、前記クーポン広告用紙は、一枚のクーポンまたは複数のクーポンで構成され得る。
【発明の効果】
【００１５】
前述のように、本発明による広告を収録した宅配便送り状は、送り状としての機能のほか、宅配便利用者に対し広告を強く認識させる効果的な広告手段としての役割も果たす。
【００１６】
また、製品の購買可能性の高い特定の消費者層を狙って集中的な広告を繰り広げる「ターゲット・マーケティング」の好適な手段としての効果もある。
【００１７】
これにより、広告主にとっては低コストで高効率の広告効果を得ることができるという効果がある一方、運送会社（宅配便会社）としては広告の収録に伴う付随的な収益創出で収益構造を改善できるような効果があり、その結果、宅配便料金がダウンし、消費者に対しても利益になるという効果がある。
【発明を実施するための最良の形態】
【００１８】
以下、本発明による宅配便送り状の好ましい実施例を添付の図面を参照して詳述する。しかし、下記実施例は本発明を具体的に例示するためのものであり、本発明の権利範囲を制限するものではない。すなわち、本発明の単純な設計上の変形ないし変更は全て本発明の範囲に含まれるとして見なせる。
【００１９】
（実施例１）
図１に示すように、本発明の好ましい一実施例による企業用宅配便送り状１００は、下部面に剥離紙１０４が貼り付けられた接着用シール１１０と、接着用シールの表面１１０ａに並列して貼り付けられる受取人用伝票１０３と、運送会社用伝票１０２とを含み、運送会社用伝票１０２を接着用シールの表面１１０ａから剥がせば広告が露出されるような構成されている。
【００２０】
以下に、品物に送り状１００を貼り付けて使用する過程を説明する。まず、接着用シールの下部面１１０ｂに貼り付けられた剥離紙１０４を取り除き、宅配便送り状１００を品物に貼り付ける。宅配便送り状１００の貼り付けられた品物は運送会社の配達人により受取人に配送され、配達人は受取人から運送会社用伝票１０２に受取りの確認を受けた後、運送会社用伝票１０２を接着用シールの表面１１０ａから剥がして保管する。このように、運送会社の配達人が運送会社用伝票１０２を剥がす過程中に、接着用シールの表面１１０ａに印刷されている広告が露出される。
【００２１】
一方、上記の例では、運送会社用伝票１０２が貼り付けられる接着用シールの表面１１０ａの片方に広告を収録されることを説明したが、広告の位置はそこに限定されないことは言うまでもない。例えば、受取人用伝票１０３の表面１０３ａおよび／または受取人用伝票１０３が貼り付けられる接着用シールの表面１１０ａにも広告が印刷され得る。
【００２２】
特に、運送会社用伝票１０２と受取人用伝票１０３とが、２段階に分離され得ることを利用し、運送会社の配達人が運送会社用伝票１０２を剥がし取ったときに一部の広告のみが露出されるようにし、受取人が広告に対して強い好奇心を持つようにし、その好奇心の解消のために受取人が自発的に受取人用伝票を剥がし取って広告の全体を確認できるように広告の収録される位置を適宜に選定する場合、広告効果を倍加させることができる。
【００２３】
（実施例２）
図２に示すように、本発明の好ましい一実施例による一般用宅配便送り状２００は、受取人用伝票２０３一枚、運送会社用伝票２０２一枚、および差出人用伝票２０１一枚が下部において順番に積層製本され、受取人用伝票２０３の下部面には剥離紙２０４が除去され得るように貼り付けられ、配送情報を記載する空欄は、伝票２０１、２０２、２０３の片方に密集されて印刷され、余白２１０として形成された伝票２０１、２０２、２０３の他方には広告が印刷される。
【００２４】
したがって、宅配便送り状２００に配送情報を記録して品物を配送する配達人と、差出人用伝票２０３を伝達された差出人と、品物を伝達された受取人とは、それぞれの伝票２０１、２０２、２０３を確認する際に広告も同時に見させられるので、非常に効率的な広告が可能となる。
【００２５】
（実施例３）
図３ａ、図３ｂおよび図３ｃは、それぞれ本発明の好ましい実施例によるクーポン広告を収録した企業用宅配便送り状を示している。
【００２６】
ここで、クーポン広告とは、クーポンの中に該当商品が表示されている全ての種類の広告物として定義され得る。一般に、クーポンとはその持ち主に対し商品購入時に割引や特別は価値、または一種のプレゼントなどを収得可能な資格を与える証明物をいい、最近は払い戻しをはじめ無料で提供する商品のサンプルまで、あらゆる種類のインセンティブを消費者に提供するために使用されるものまでも含む概念として用いられている。クーポン広告は典型的に一般的な広告とクーポンとの両方の特性を有しているので、単なるクーポンや広告自体だけでは説明できない消費者に対する独特な効果を有していると評価されている。
【００２７】
図３ｃに示すように、本発明の好ましい一実施例による宅配便送り状３００は、下部面に剥離紙３０４が貼り付けられた接着用シール３１０と、接着用シールの表面３１０ａに貼り付けられる受取人用伝票３０３と、運送会社用伝票３０２と、クーポン広告用紙３０５とを含み、伝票３０２、３０３とクーポン広告用紙３０５とは、接着用シールからそれぞれ分離可能である。クーポン広告用紙は、図３ａに示すように、一枚のクーポンで構成するか、或いは図３ｂに示すように、複数のクーポンで構成しても良い。
【００２８】
また、本発明の好ましい一実施例による宅配便送り状３００は、図３ｃに示すように、接着用シールの表面上の運送会社用伝票が貼り付けられる位置に、特定の商品やイメージを知らせるための広告が更に収録されることができる。特に、クーポン広告と関連した広告を収録する場合に広告効果を倍加させることができる。
【図面の簡単な説明】
【００２９】
【図１】本発明の一実施例による企業用宅配便送り状を示す概略図である。
【図２】本発明の一実施例による一般用宅配便送り状を示す概略図である。
【図３ａ】本発明の一実施例によるクーポン広告を収録した企業用宅配便送り状を示す概略図である。
【図３ｂ】本発明の一実施例によるクーポン広告を収録した企業用宅配便送り状を示す概略図である。
【図３ｃ】本発明の一実施例によるクーポン広告を収録した企業用宅配便送り状を示す概略図である。
【図４】従来技術による企業用宅配便送り状を示す概略図である。
【図５】従来技術による一般用宅配便送り状を示す概略図である。
【符号の説明】
【００３０】
１００、２００、３００  送り状
１１０、３１０  接着用シール
２０１  差出人用伝票
１０２、２０２、３０２  運送会社用伝票
１０３、２０３、３０３  受取人用伝票
１０４、２０４、３０４  剥離紙
２１０  余白
３０５  クーポン広告用紙
【図１】
2006082542.tif 000003
【図２】
2006082542.tif 000004
【図３ａ】
2006082542.tif 000005
【図３ｂ】
2006082542.tif 000006
【図３ｃ】
2006082542.tif 000007
【図４】
2006082542.tif 000008
【図５】
2006082542.tif 000009